【手続補正書】
【提出日】平成17年3月14日(2005.3.14)
【手続補正１】
【補正対象書類名】明細書
【補正対象項目名】全文
【補正方法】変更
【補正の内容】
【書類名】      明細書
【発明の名称】  身障者用ベット
【特許請求の範囲】
【請求項１】
ベットの床面直接に車輪を装着するか装着した台車を設け、その室側の手すりに平行方向のベットの延長端にポータブル便器・車椅子その他必要座椅子を積載し得る棚空間を設け、ベットと共にそれらの適正位置に台車を正逆移動出来るようにした身障者用ベット。
【請求項２】
ベット上の患者の臀部位置においてマットを含めて円形に切断して回動出来るようにし、患者の背部位置のマットを分離して垂直に起す構造にし、その背もたれ部を起した後に臀部の９０度回動による患者のベット側面への誘導を行うようにし  た身障者用ベット。
【請求項３】
デファレンシャルギヤーの片方軸を中空にして他方軸を逆延長してその中空軸内を貫通できる細軸径にし、双方軸を同一側面にそろえてそのそれぞれの軸の先端にギヤーを介して背部の立ちあがりの回動と臀部の回動かベットの移動に連結し、最初の軸回転を終了してロックした時点で次ぎの軸回転作動が行われる様にし更に必要な作動は外郭駆動モーター動力で順次機能を行わせるようにした身障者用ベット。
【請求項４】
請求項３のベットの移動に関してはスクリュウネジの回転とそのピッチ内に係合する小径ベアリング列による移動機構を寝台床面裏と室床面の間に介入装置してモーターまたはデファレンシャルギヤーによって行うようにした身障者用ベット叉はその台車。
【発明の詳細な説明】
【０００１】
【産業上の利用分野】
この発明は身障者で歩行困難で横経てに移動困難で単独又は補助によって手すりで立ちあがる事のみ自力又は介護人の補助で出来る身障者に対してのベットとしての開発に関わるもので、用便及び車椅子への体の移動あるいは壁面食卓の椅子への移動等の場合の介護者の負担を軽減できるよう配慮したものである。
【０００２】
【従来の技術】
現在ベットで身障者用として背部が立ちあがる方式は公知であるが、殆ど油圧プランジャー方式で、更に身障者の身体事情によるが臀部の回動を手動又は自動で行い得るものが無く、更にベットそのものが移動して身障者の移動を補助したものは皆無である。本案はデファレンシャルギヤー機構あるいは手動もしくは電動で介護者又は本人が行えるようにしたもので、従来その例を見ない。
【０００３】
【課題を解決するための手段】
ベットそのものに装着しても良いが、あるいは車輪付き台車に載せるについて必要な用具をそのベットの延長位置に載せ得る空間棚を設けて、その移動により身障者の手すり位置と立ち位置を室側に定め、台車に積載した必要な座部が身障者の臀部位置に往復出来るように、位置決め設計すると共にベット上に横臥した患者の背部が自動機構で立ちあがってその後に更に臀部が回動し、室側の手すりに立ちあがれるよう本人の日常横臥する位置決めを行い、背部の立ちあがりと臀部の回動およびベットの手すりに平行方向の移動の順はそれぞれ単独に自動化しても良いが１タッチでその手順に動かすようデファレンシャル機構を採用するかモーターで自動化すれば手数が省けて便利である。又ベットの移動は手動でも良いが正逆回転で大径ピッチスクリュウネジとピッチ内に収まる小径ベアリング列でスライド移動させても良い．その場合予め設定したプログラムで稼動停止出来る様にしている。
【０００４】
【作用】
脚の悪い状態では本人はもとより介護者も相当な労力で横移動せざるを得ない．その為に身障者本人が単にその場で立ち座りするだけで用便器・車椅子・壁面食卓の座椅子・治療機付座椅子等への乗降がベットの移動を介して直接達成できれば患者の立ち座りだけで頗る便利で、室の面積が許されれば可能であるに拘わらず、その例を見ない。即ちベットの移動は病院等では通常であるが、トイレ座椅子等を１体とする機能は無く、更に又ベットの患者の臀部位置でのマットを含めた回動機能も現在ではないが、その機能だけではその先の対応に比べてさほどの便宜性も無い為に放置されていた。勿論位置をスライドするためにわざわざ尻を乗せかえる用具はあるが殆ど実用化されていないに対し、本案は体を起す機能の次に続けて脚をベット側面に回転移動させ、手すりによって本人が自力又は介護の補助で立ちあがって待つだけで、移動は行わずに臀部位置に座椅子、便器等がベットの移動で設定出来ることになる。又重要な要件であるベットルームのベットの空間については頭方向と足方向相互に事後最終的に片寄せ出来るためはベットのスライド機能のプログラムで節約でき、大方は可能である。
【０００５】
【実施例】
用便手順を例にとって説明すると▲１▼患者背面マットＲを立ち上げる▲２▼臀部回転マットＺを９０度回転させ患者の脚をベットＬ側面に誘導する▲３▼本人が手すりＴを掴まえて立ちあがる（ベットＬから独立待機）▲４▼ベットＬはベット台車Ｓの車輪Ｙ・Ｙ・・により患者の頭方向に移動（ｍｌ距離）▲５▼本人便器Ｂ上に座す（手すりＴを掴みながら排便）▲６▼本人手すりを掴みながら立ち待機▲７▼ベットＬ移動復帰▲８▼本人ベットＬに手すりＴを掴まりながら座り復帰▲９▼臀部回転マットＺ逆転復帰（脚をベットＬ上に誘導）▲１０▼背面マットＲ倒れ復帰で患者は手すりＴを掴まえて立ち座りするだけで要件が達せられる．背面マットＲの立ち上げの動力及び復帰・臀部回転マットＺの９０度回転逆転・ベットの移動復帰等はレバーによる介護者の手動もしくは電動によるが、患者本人は歩行は出来なくても手すりで立ちあがりと座りの能力は望ましい。
又車椅子Ｋに乗降する場合も同じ手順でベットＬの頭方向への移動距離ｍ２となり車椅子は段差調整盤Ｈを介して台車Ｓ上定置に設定しておくものとする。
この２例のみならベットＬの頭方向の空間ｘ１脚方向の空間ｘ２車椅子幅ｋ便器幅ｂ患者脚長さａ臀部回転マット径２患者背面マットＲの長さｒとすると空間的には  ｘ１＞ｍ２でｍ２＝ｚ／２＋ａ＋ｂ＋ｋ／２の空間とｘ２＞ｋの空間の確保が必要となるがｘ２は車椅子通過の空間ゆえｘ１にベットを移動すればｘ１の空間距離で代用できる。
次に患者背面マットＲの移動と臀部回転マットＺの電動機構は１基のデファレンシャル機構Ｄで通常は両側にあるシャフトｆ１・ｆ２をこの機構ではシャフトｆ２を中空にしてｆ１を同一側に突出させ、その両先端にそれぞれギヤー又はウオームギヤーｗを連動して背もたれ部の立ちあがりと臀部の回転をおこなわせるもので、両シャフト  ｆ１・ｆ２の場合に応じてのロックを交互に本人が行えば順次働く。またベットＬの移動については自動正逆回転をスクリュウネジ方式とマイクロスイッチ及びシーケンサー制御で容易に可能で問題ない。
実施例はベットを長さ方向に移動し、臀部回転マットを活用する例を示しているが患者の横臥位置をベット下端にしてベットを頭から腰までの短尺にし、床固定の手すりをその近辺位置に設ける設計にできれば臀部回転マットの必要は無く省略できるが、その場合短尺ベットの足先固定手すりの下部位置に固定補助マットを設けて通常横臥のための足先の補助とする必要がある。
【０００６】
【発明の効果】
本発明は歩行困難な身体障害者の患者の負担を軽くし又介護人の介護労力を節減するについて従来ベットは運搬用にベットそのものの移動はあるが、患者との相対距離の移動用に用いるためベットにポータブルトイレその他を付随させてベットを移動する方式がいかに便利であるかにきずかれたことが無く、そのため介護人の労力は大変なものであった。患者自身の心痛も頗る軽減できたもので従来ない分野の開発である。
【図面の簡単な説明】
【図１】
この構成のベットの全体斜視図
【図２】
この発明の平面図
【図３】
この発明の側面図
【図４】
回転機構部分の説明斜視図でデファレンシャルギヤー部分図と本案ベットの動力電動関係のイメージ図
【符号の説明】
Ｒ    患者背面マット    Ｔ  手すり    Ｌ  ベット    Ｓ  ベット台車    Ｙ  車輪
Ｚ    臀部回転マット    Ｋ  車椅子    Ｂ  便器      Ｈ  段差調整盤
Ｄ    デファレンシャル機構
ｍ１  便器の場合の移動距離    ｍ２  車椅子の場合の移動距離
ｘ１  頭方向の空間距離    ｘ２  脚方向の空間距離
ｋ    車椅子幅    ｂ  便器幅    ａ  患者脚長さ    ｒ  患者背面マット長さ
ｚ    臀部回転マット径    ｗ  ウオームギヤー